(57)【要約】【課題】設定画面に表示されている設定項目それぞれに対して操作を行うことなく、現在設定されている設定内容を読まなくても設定内容を認識することが可能な情報処理装置及びプログラムを提供する。【解決手段】情報処理装置は、設定画面に関する音声を出力させるための操作であって、前記設定画面に表示されている設定項目それぞれに対して行われない操作を示す特定の操作を検出する検出手段と、設定内容が確定前の第１の段階で前記検出手段により前記特定の操作が検出された場合、前記設定内容に含まれる各設定項目のうち、予め定められた基準を満たす設定項目に関する第１の音声情報を音声により出力するよう制御する制御手段とを備える。【選択図】図２
2019028664.tif 000002
【特許請求の範囲】
【請求項１】
設定画面に関する音声を出力するための操作であって、前記設定画面に表示されている設定項目それぞれに対しては行われない操作を示す特定の操作を検出する検出手段と、
設定内容が確定前の第１の段階で前記検出手段により前記特定の操作が検出された場合、前記設定内容に含まれる各設定項目のうち、予め定められた基準を満たす設定項目に関する第１の音声情報を音声により出力するよう制御する制御手段と、
を備えた情報処理装置。
【請求項２】
前記制御手段は、前記設定内容が確定した後の第２の段階で前記検出手段により前記特定の操作が検出されたとき、前記設定内容に関する第２の音声情報を音声により出力するよう制御する、
請求項１に記載の情報処理装置。
【請求項３】
前記第１の段階は、前記設定内容を示す第１の画面を表示画面に表示している段階である、
請求項１又は２に記載に記載の情報処理装置。
【請求項４】
前記第２の段階は、前記第１の画面とは異なる第２の画面を表示画面に表示している段階である、
請求項３に記載に記載の情報処理装置。
【請求項５】
前記第２の画面は、前記設定内容を外部に送信するのに必要な操作の情報を含む、  
請求項４に記載に記載の情報処理装置。
【請求項６】
前記第１の音声情報及び前記第２の音声情報の一方は、前回に対して変更された設定値に係る設定項目及び設定値を含む、
請求項２から５のいずれか１項に記載の情報処理装置。
【請求項７】
前記第１の音声情報及び前記第２の音声情報の一方は、不慣れな操作に係る設定項目及び設定値を含む、
請求項２から５のいずれか１項に記載の情報処理装置。
【請求項８】
前記第１の音声情報及び前記第２の音声情報の他方は、残りの設定項目及び設定値を含む、
請求項６又は７に記載の情報処理装置。
【請求項９】
前記第１の音声情報及び前記第２の音声情報の他方は、前記設定内容の全てを含む、
請求項６又は７に記載の情報処理装置。
【請求項１０】
前記不慣れな操作に係る設定項目及び設定値は、予め定められた回数音声により出力した場合は、音声による出力の対象から除外する、
請求項７に記載の情報処理装置。
【請求項１１】
前記制御手段は、前記第１の画面を表示する前に機能を選択する選択画面を前記表示画面に表示するよう制御し、前記機能が選択された後に前記検出手段により前記特定の操作が検出された場合、選択された前記機能に関する第３の音声情報を音声により出力するよう制御する、
請求項３から９のいずれか１項に記載の情報処理装置。
【請求項１２】
前記第３の音声情報を予め定められた回数音声により出力した場合は、前記機能の説明を簡易なもの、又は音声による出力を行わない、
請求項１１に記載の情報処理装置。
【請求項１３】
前記制御手段は、前記第１の音声情報又は前記第２の音声情報は、前記前回に対して変更された設定値に係る設定項目及び設定値、又は前記不慣れな操作に係る設定項目及び設定値を比較的遅いスピードで音声により出力させ、残りの設定項目及び設定値を比較的早いスピードで音声により出力して全体を予め定められた時間内に収まるように制御する、
請求項７又は８に記載の情報処理装置。
【請求項１４】
コンピュータを、
設定画面に関する音声を出力させるための操作であって、前記設定画面に表示されている設定項目それぞれに対して行われない操作を示す特定の操作を検出する検出手段と、
設定内容が確定前の第１の段階で前記検出手段により前記特定の操作が検出された場合、前記設定内容に含まれる各設定項目のうち、予め定められた基準を満たす設定項目に関する第１の音声情報を音声により出力するよう制御する制御手段として、
機能させるためのプログラム。
【発明の詳細な説明】
【技術分野】
【０００１】
本発明は、情報処理装置及びプログラムに関する。
【背景技術】
【０００２】
近年、出力部において出力されるデータを情報処理装置を振ることによって変更できるようにすることをユーザに煩わしさを感じさせないようにしつつ実現することが可能な情報処理装置が提案されている（例えば、特許文献１参照。）。
【０００３】
特許文献１に記載された情報処理装置は、タッチパネルと出力手段とを含む情報処理装置において、情報処理装置の動きを検出する動き検出手段と、動き検出手段の検出結果に基づいて、ユーザが情報処理装置を振ったか否かを判定する第１判定手段と、タッチパネルがユーザによって接触されているか否かを判定する第２判定手段と、ユーザが情報処理装置を振ったと第１判定手段によって判定された場合に、第２判定手段の判定結果に基づいて、出力手段において出力されるデータを変更する変更手段と、を含む。
【先行技術文献】
【特許文献】
【０００４】
【特許文献１】特開２０１３−８９１９４号公報
【発明の概要】
【発明が解決しようとする課題】
【０００５】
本発明の課題は、設定画面に表示されている設定項目それぞれに対して操作を行うことなく、現在設定されている設定内容を読まなくても設定内容を認識することが可能な情報処理装置及びプログラムを提供することにある。
【課題を解決するための手段】
【０００６】
［１］設定画面に関する音声を出力させるための操作であって、前記設定画面に表示されている設定項目それぞれに対して行われない操作を示す特定の操作を検出する検出手段と、
設定内容が確定前の第１の段階で前記検出手段により前記特定の操作が検出された場合、前記設定内容に含まれる各設定項目のうち、予め定められた基準を満たす設定項目に関する第１の音声情報を音声により出力するよう制御する制御手段と、を備えた情報処理装置。
［２］前記制御手段は、前記設定内容が確定した後の第２の段階で前記検出手段により前記特定の操作が検出されたとき、前記設定内容に関する第２の音声情報を音声により出力するよう制御する、前記［１］に記載の情報処理装置。
［３］前記第１の段階は、前記設定内容を示す第１の画面を表示画面に表示している段階である、前記［１］又は［２］に記載に記載の情報処理装置。
［４］前記第２の段階は、前記第１の画面とは異なる第２の画面を表示画面に表示している段階である、前記［３］に記載に記載の情報処理装置。
［５］前記第２の画面は、前記設定内容を外部に送信するのに必要な操作の情報を含む、前記［４］に記載に記載の情報処理装置。
［６］前記第１の音声情報及び前記第２の音声情報の一方は、前回に対して変更された設定値に係る設定項目及び設定値を含む、前記［２］から［５］のいずれかに記載の情報処理装置。
［７］前記第１の音声情報及び前記第２の音声情報の一方は、不慣れな操作に係る設定項目及び設定値を含む、前記［２］から［５］のいずれかに記載の情報処理装置。
［８］前記第１の音声情報及び前記第２の音声情報の他方は、残りの設定項目及び設定値を含む、前記［６］又は［７］に記載の情報処理装置。
［９］前記第１の音声情報及び前記第２の音声情報の他方は、前記設定内容の全てを含む、前記［６］又は［７］に記載の情報処理装置。
［１０］前記不慣れな操作に係る設定項目及び設定値は、予め定められた回数音声により出力した場合は、音声による出力の対象から除外する、前記［７］に記載の情報処理装置。
［１１］前記制御手段は、前記第１の画面を表示する前に機能を選択する選択画面を前記表示画面に表示するよう制御し、前記機能が選択された後に前記検出手段により前記特定の操作が検出された場合、選択された前記機能に関する第３の音声情報を音声により出力するよう制御する、前記［３］から［９］のいずれかに記載の情報処理装置。
［１２］前記第３の音声情報を予め定められた回数音声により出力した場合は、前記機能の説明を簡易なもの、又は音声による出力を行わない、前記［１１］に記載の情報処理装置。
［１３］前記制御手段は、前記第１の音声情報を比較的遅いスピードで音声により出力させ、前記第２の音声情報として残りの設定項目及び設定値を比較的早いスピードで音声により出力して全体を予め定められた時間内に収まるように制御する、前記［７］又は［８］に記載の情報処理装置。
［１４］コンピュータを、設定画面に関する音声を出力させるための操作であって、前記設定画面に表示されている設定項目それぞれに対して行われない操作を示す特定の操作を検出する検出手段と、
設定内容が確定前の第１の段階で前記検出手段により前記特定の操作が検出された場合、前記設定内容に含まれる各設定項目のうち、予め定められた基準を満たす設定項目に関する第１の音声情報を音声により出力するよう制御する制御手段として、機能させるためのプログラム。
【発明の効果】
【０００７】
請求項１、１４に係る発明によれば、設定画面に表示されている設定項目それぞれに対して操作を行うことなく、現在設定されている設定内容を読まなくても設定内容を認識することが可能になる。
請求項２に係る発明によれば、異なる段階で設定内容を確認することができる。
請求項３、４に係る発明によれば、設定内容を視覚と聴覚の両方で確認することができる。
請求項５に係る発明によれば、設定内容を外部に送信する際に設定内容を音声で確認することができる。
請求項６に係る発明によれば、前回変更された設定値に絞って設定内容を確認することができる。
請求項７に係る発明によれば、不慣れな設定項目に絞って設定内容を確認することができる。
請求項８に係る発明によれば、特定の設定項目に絞って確認することができるとともに、異なるタイミングで残りの設定項目についても確認することができる。
請求項９に係る発明によれば、特定の設定項目に絞って確認することができるとともに、異なるタイミングで設定内容全体を通して確認することができる。
請求項１０に係る発明によれば、不必要な音声出力を省いて全体の時間を短縮することができる。
請求項１１に係る発明によれば、選択した機能を確認することができる。
請求項１２に係る発明によれば、習熟度に応じた音声出力をすることができる。
請求項１３に係る発明によれば、限られた時間内で音声出力をすることができる。
【図面の簡単な説明】
【０００８】
【図１】図１は、本発明の実施の形態に係る画像形成システムの構成例を示す図である。
【図２】図２は、端末装置が有する機能を説明するための図である。
【図３】図３は、画像形成システムの制御系の一例を示すブロック図である。
【図４】図４は、初期画面の一例を示す図である。
【図５】図５は、「コピー」の設定画面の一例を示す図である。
【図６】図６は、待機画面の一例を示す図である。
【図７】図７は、端末装置の初期画面の表示からモード切り替えまでの動作の一例を示すフローチャートである。
【図８】図８は、端末装置の特定モードにおける動作の一例を示すフローチャートである。
【図９】図９は、端末装置の通常モードにおける動作の一例を示すフローチャートである。
【発明を実施するための形態】
【０００９】
以下、本発明の実施の形態について図面を参照して説明する。なお、各図中、実質的に同一の機能を有する構成要素については、同一の符号を付してその重複した説明を省略する。
【００１０】
［実施の形態の要約］
本実施の形態に係る情報処理装置は、設定画面に関する音声を出力させるための操作であって、設定画面に表示されている設定項目それぞれに対して行われない操作を示す特定の操作を検出する検出手段と、設定内容が確定前の第１の段階で検出手段により特定の操作が検出された場合、設定内容に含まれる各設定項目のうち、予め定められた基準を満たす設定項目に関する第１の音声情報を音声により出力するよう制御する制御手段と、を備える。
【００１１】
「特定の操作」とは、設定画面に関する音声を出力するための操作であって、設定画面に表示されている設定項目それぞれに対しては行われない操作をいう。特定の操作には、例えば、自装置を複数回（例えば３回以上）小刻みに振る動作（シェイク）、複数回（例えば３回以上）大きく振る動作、回転動作等が含まれ、歩くときに自然と手を振る動作、タップ動作は除かれる。「設定内容」とは、外部装置又は自装置が有する機能を実行させるための情報をいい、設定項目及びその設定項目に対する設定値を含む。なお、設定項目及び設定値をパラメータともいう。
【００１２】
「予め定められた基準を満たす設定項目」には、例えば、次のものが含まれる。
（ａ）全ての設定項目
（ｂ）前回設定値が変更された設定項目
（ｃ）直近に設定値が変更された設定項目
（ｄ）デフォルトから変更されている設定項目
（ｅ）不慣れな操作がされた設定項目
（例えば、他の設定項目と競合するために設定できない設定値に変更しようとした設定項目、迷って一旦変更した後に元に戻した設定値及び対応する設定項目等）
なお、予め定められた基準を満たす設定項目は、上記のものに限られず、例えば、設定項目が多いために１つの画面に表示しきれない場合は、スクロールして表示される設定項目を除外して最初に表示された設定項目としてもよい。
【００１３】
制御手段は、設定内容が確定した後の第２の段階で検出手段により特定の操作が検出されたとき、設定内容に関する第２の音声情報を音声により出力してもよい。第１の音声情報及び第２の音声情報は、一方が設定内容の全てを含み、他方が一部を含むものでもよく、両方が一部を含むものでもよく、両方が同じ内容でも異なる内容でもよい。
【００１４】
［実施の形態］
図１は、本発明の実施の形態に係る画像形成システムの構成例を示す図である。この画像形成システム１は、ユーザが操作する端末装置２と、ユーザが指示した画像処理を実行する画像形成装置３とを備える。端末装置２は、情報処理装置の一例であり、モバイル端末という場合もある。
【００１５】
端末装置２は、例えば、パーソナルコンピュータ（ＰＣ）、多機能携帯電話機（スマートフォン）等の携帯型の情報処理装置を用いることができる。端末装置２と画像形成装置３との間は、無線通信が可能に構成されている。
【００１６】
画像形成装置３は、例えば、画像処理の一例としてのスキャン（メール送信）、スキャン（ボックス保存）、プリント、ファックス、コピー等の複数の機能を有する複合機である。
【００１７】
スキャン（メール送信）は、原稿の画像をスキャナ部３３で読み取り、その画像を指定されたメールアドレスに送信する機能である。スキャン（ボックス）は、原稿の画像をスキャナ部３３で読み取り、その画像を画像形成装置３の記憶部３１に設けられたボックスに記憶する機能である。ファックスは、原稿の画像をスキャナ部３３で読み取り、その画像をファクシミリ部３５によりファックス送信する機能である。コピーは、端末装置２や他のＰＣから送信される印刷ジョブ（印刷データ及び印刷条件を含む。）を実行する機能である。
【００１８】
画面形成装置３の上部には、原稿が置かれる原稿台３ａと、給紙トレイ３ｂに置かれた原稿を原稿台３ａに供給する自動原稿給紙装置３ｃとが設けられている。また、画像形成装置３の中央部には、画像が印刷された用紙が排出される排出台３ｄが設けられている。
【００１９】
図２は、端末装置２が有する機能を説明するための図である。端末装置２は、ユーザが端末装置２を振る等の特定の操作を検出する機能と、選択された機能の設定内容を音声を出力して読み上げる機能を有する。また、端末装置２は、ユーザが端末装置２を画像形成装置３にかざす操作を行うと、機能の実行指示と設定内容を画像形成装置３に送信する機能を有する。
【００２０】
図３は、画像形成システム１の制御系の一例を示すブロック図である。
【００２１】
（端末装置の構成）
端末装置２は、端末装置２の各部を制御する制御部２０と、各種の情報を記憶する記憶部２１と、操作表示部２２と、動き検出部２３と、音声出力部２４と、第１の通信部２５と、第２の通信部２６とを備える。
【００２２】
制御部２０は、ＣＰＵ（Central Processing Unit）、インターフェース等から構成されている。ＣＰＵは、プログラム２１０に従って動作することにより受付手段２００、表示制御手段２０１、モード切替手段２０２、設定手段２０３、検出手段２０４、操作判断手段２０５、音声制御手段２０６、送信手段２０７等として機能する。各手段２００〜２０７の詳細は後述する。表示制御手段２０１及び音声制御手段２０６は、制御手段の一例である。
【００２３】
記憶部２１は、ＲＯＭ（Read Only Memory）、ＲＡＭ（Random Access Memory）、ハードディスク等から構成され、プログラム２１０、設定情報テーブル２１１、履歴情報テーブル２１２、機能説明情報２１３等が記憶されている。なお、本明細書において、テーブルに情報を書き込む場合に記録を用い、記憶部に情報を書き込む場合に記憶を用いる。
【００２４】
設定情報テーブル２１１には、機能ごとに設定された設定内容が設定情報として記録されている。
【００２５】
設定項目及び設定値の例として、「コピー」の場合は、例えば、部数及び１部、カラーモード及び自動、倍率及び１００％等がある。「スキャン（メール送信）」の場合は、例えば、スキャンの読取条件、送信先のメールアドレス等がある。「スキャン（ボックス保存）」の場合は、例えば、スキャンの読取条件、ボックスを特定するユーザ名等がある。「ファックス」の場合は、スキャンの読取条件、送信先のＦＡＸ番号等がある。「お気に入りの一覧」の場合は、コピーについてユーザが気に入った設定内容が設定情報として登録されている。
【００２６】
履歴情報テーブル２１２には、デフォルトの設定値が変更された場合や変更された設定値がさらに変更された場合に、変更された設定値及び対応する設定項目が履歴情報として機能ごとに記録されている。また、履歴情報テーブル２１２には、ユーザが他の設定項目と競合するために設定できない設定値に変更しようとした場合や、迷って一旦変更した後に元に戻した設定値及び対応する設定項目が履歴情報として機能ごとに記録されている。
【００２７】
機能説明情報２１３には、機能ごとに機能の概要を説明する機能説明文が記録されている。
【００２８】
操作表示部２２は、液晶ディスプレイ等の表示部にタッチパネルが重合配置されたタッチパネルディスプレイを有し、表示画面を表示部に表示するとともに、操作者からタッチパネルへの操作を受け付ける。なお、操作表示部２２は、独立して設けられた入力部及び表示部により構成してもよい。
【００２９】
動き検出部２３は、３軸方向の加速度を検出する加速度センサを備える。加速度センサは、自装置２に加えられた３軸方向の加速度を検出し、検出した加速度の値を制御部２０に送信する。３軸方向の加速度のうちいずれかの加速度が閾値を超えることで、特定の操作を検出してもよい。なお、動き検出部２３は、さらに角速度センサを備えてもよい。角速度センサは、例えば、ジャイロセンサであり、自装置２に加えられたヨー方向、ローリング方向及びピッチング方向の角速度を検出し、検出した角速度の値を制御部２０に送信する。加速度と角速度から自装置２の姿勢を検出することができ、加速度のみよりも自装置２の詳しい動きを検出することができる。
【００３０】
音声出力部２４は、デジタルの音声情報をアナログの音声信号に変換するＤ／Ａ変換器と、Ｄ／Ａ変換器が変換した音声信号を音声として出力するスピーカとを備える。
【００３１】
第１の通信部２５は、画像形成装置３の第１の通信部３６との間で近距離無線通信、例えばＮＦＣ（Near Field Communication）通信を行うものである。第１の通信部２５は、ＮＦＣ通信により通信する通信データが書き込まれるメモリを備えている。ここでは、通信データは、機能の実行指示と設定情報である。
【００３２】
第２の通信部２６は、画像形成装置３の第２の通信部３７との間で、例えば、Ｗｉ−Ｆｉ通信を行うものである。
【００３３】
（端末装置の各手段の構成）
次に、端末装置２の制御部２０の各手段２００を説明する。
【００３４】
受付手段２００は、操作表示部２２に対する操作や操作表示部２２が表示している画面に対する操作を受け付ける。
【００３５】
表示制御手段２０１は、ユーザの操作表示部２２に対する操作に基づいて操作表示部２２の表示画面に初期画面１００（図４参照）、設定画面１１０（図５参照）、待機画面（図６参照）、感度設定画面等の各種の画面を表示するよう制御する。設定画面１１０は、第１の画面の一例である。待機画面１２０は、第２の画面の一例である。初期画面１００は、選択画面の一例である。
【００３６】
モード切替手段２０２は、初期画面１００（図４参照）に対してダブルタップされた場合に、通常モードから特定モードに切り替える。通常モードは、自装置２に対して特定の操作をしても音声による出力を行わないモードである。特定モードは、自装置２に対して特定の操作をすると、音声による出力を行うモードである。特定モードは、初期画面１００から設定画面１１０に切り替えても継続し、更に待機画面１２０に切り替えても継続する。初期画面１００を表示した場合は、通常モードに戻る。なお、通常モードから特定モードへの切り替えは、ボタン操作等による設定により行ってもよい。
【００３７】
設定手段２０３は、設定内容が変更された場合は、記憶部２１に記憶されている設定情報テーブル２１１を書き替えるとともに、履歴情報テーブル２１２に設定内容が変更されたこと、すなわち変更日時、変更後の設定値及び設定項目を記録する。
【００３８】
検出手段２０４は、動き検出部２３から出力される加速度と閾値に基づいて、自装置２に対して振る等の特定の操作を検出する。検出手段２０４は、特定の操作を検出すると、特定の操作を検出したことを音声制御手段２０６に通知する。なお、特定の操作を検出する感度は、感度設定画面で変更できるようになっている。
【００３９】
操作判断手段２０５は、現在の設定内容を示す設定情報テーブル２１１、及び過去の設定内容の履歴を示す履歴情報テーブル２１２に基づいて、前回設定値が変更されたか否か、及び不慣れな操作がされたか否かを判断する。前回設定値が変更されたか否かは、予め定められた基準の一例である。「前回」とは、プログラム２１０を起動する前の回をいう。
【００４０】
前回変更された設定値は、デフォルトから変更された設定値でもよく、直前の回に変更された設定値としてもよい。
【００４１】
「不慣れな操作」がされた否かは、ユーザが他の設定項目と競合するために設定できない設定値に変更しようとした場合や、迷って一旦変更した後に元に戻した場合が含まれる。例えば、間違った設定値を選択した場合の回数を履歴情報テーブル２１２に記録しておき、その回数が閾値以上になった場合に、その設定項目に関して音声を出力してもよい。例えば、ホッチキスの止める位置と穴あけの位置とを同じ位置に設定した場合が考えられる。また、何もせずに戻る回数を履歴情報テーブル２１２に記録しておき、その回数が閾値以上になった場合に、当該設定項目に関して不慣れな操作と判断し、その設定項目に関して音声を出力してもよい。例えば、設定項目としてカラーモードを選択したが、設定値をカラーから白黒に変更せずに戻った場合が考えられる。上記回数の閾値以上になった場合は、予め定められた基準の一例である。
【００４２】
音声制御手段２０６は、特定モードにおいて、設定画面１１０（図５参照）を操作表示部２２に表示中に特定の操作が検出手段２０４により検出されると、第１の読み上げ処理を行い、待機画面１２０（図６参照）を操作表示部２２に表示中に特定の操作が検出手段２０４により検出されると、第２の読み上げ処理を行い、初期画面１００（図４参照）を操作表示部２２に表示中に特定の操作が検出手段２０４により検出されると、第３の読み上げ処理を行う。読み上げ処理により、ユーザの視力等により小さい文字が読み難い場合でも設定内容や表示内容等を認識することができる。
【００４３】
第１の読み上げ処理では、設定内容に関する第１の音声情報を音声により出力するよう制御する。第２の読み上げ処理では、設定内容に関する第２の音声情報を音声により出力するよう制御する。第１の音声情報及び第２の音声情報の一方は、操作判断手段２０５により判断された、前回に対して変更された設定値に係る設定項目及び設定値を含み、又は不慣れな操作に係る設定項目及び設定値を含み、第１の音声情報及び第２の音声情報の他方は、残りの設定項目及び設定値、又は設定内容の全てを含むものでもよい。また、不慣れな操作に係る設定項目及び設定値は、予め定められた回数音声により出力した場合は、音声による出力の対象から除外してもよい。
【００４４】
第１及び第２の読み上げ処理では、音声制御手段２０６は、設定情報テーブル２１１及び履歴情報デーブル２１２から読み出して設定内容を音声情報として音声出力部２４に入力して音声出力部２４から音声を出力させる。
【００４５】
第１の読み上げ処理と第２の読み上げ処理とで、読み上げる設定内容が同じでも、異なってもよい。また、第１及び第２の読み上げ処理のうち、一方で設定内容の全てを読み上げ、他方で設定内容の一部を読み上げてもよい。また、第１及び第２の読み上げ処理のうち、一方で設定内容の一部を読み上げ、他方で残りを読み上げてもよい。また、全ての設定項目に対して前回設定値を変更した数が多い場合は、変更しなかった設定値及び設定項目を読み上げてもよい。
【００４６】
また、第１又は第２の読み上げ処理において、予め定められた回数設定項目及び設定値を読み上げたものについては、読み上げ対象から外してもよい。また、読み上げている途中で端末装置２が振られた場合は、最初から読み上げてもよい。設定値を変更していない場合は、読み上げしないとしてもよい。
【００４７】
第３の読み上げ処理では、音声制御手段２０６は、初期画面１００に対して機能が選択された後、自装置２に対する特定の操作が検出されたとき、選択された機能に対応する機能説明文を機能説明情報２１３から読み出し、音声情報として音声出力部２４に入力し、音声出力部２４から音声により出力させる。なお、予め定められた回数当該読み上げ処理を行った後は、機能の説明を簡易なものに変更してもよく、読み上げ処理を行わないとしてもよい。例えば、初期画面１００において、コピーを選択した回数を履歴情報テーブル２１２に記録しておき、その回数が閾値以上になった場合に、コピーで何ができるかの説明を「カラーモードでは、カラー、白黒、グレースケースが設定できます」から「カラーモードがあります」というように、簡易的な説明の読み上げに変更してもよい。
【００４８】
音声制御手段２０６は、読み上げている途中で設定内容が変更された場合は、読み上げを中断し、再度検出手段２０４が特定の操作を検出すると、読み上げを中断した所から読み上げを再開するよう制御する。
【００４９】
送信手段２０７は、設定画面に表示された設定内容が確定すると、対応する設定情報を設定情報テーブル２１１から読み出し、第１の通信部２５のメモリに書き込む。
【００５０】
（画像形成装置の構成）
画像形成装置３は、画像形成装置３の各部を制御する制御部３０と、各種の情報を記憶する記憶部３１と、ユーザからの操作を受け付けるとともに情報を表示する操作表示部３２と、原稿から画像を読み取るスキャナ部３３と、画像を用紙等の記録媒体に印刷するプリンタ部３４と、画像を公衆回線を介してファクシミリ送受信するファクシミリ部３５と、第１の通信部３６と、第２の通信部３７とを備える。
【００５１】
制御部３０は、ＣＰＵ（Central Processing Unit）、インターフェース等から構成されている。
【００５２】
記憶部３１は、ＲＯＭ（Read Only Memory）、ＲＡＭ（Random Access Memory）、ハードディスク等から構成され、プログラムや各種のデータが記憶されている。
【００５３】
第１の通信部３６は、端末装置２の第１の通信部２５との間で近距離無線通信、例えばＮＦＣ通信を行うものである。第１の通信部３６は、例えば、ＮＦＣリーダ装置により構成されている。第１の通信部３６は、端末装置２の第１の通信部２５のメモリに書き込まれた情報を読み取る。
【００５４】
第２の通信部３７は、端末装置２の第２の通信部２６との間で、例えば、Ｗｉ−Ｆｉ通信を行うものである。スキャン（メール送信）を実行する場合は、スキャナ部３３により原稿から読み取られた画像が第２の通信部３７により端末装置２やＰＣにメールにより送信される。
【００５５】
（各種の画面の説明）
次に、表示制御手段２０１が操作表示部２２に表示する初期画面、設定画面、待機画面について図４乃至図６を参照して説明する。
【００５６】
図４は、操作表示部２２に表示される初期画面の一例を示す図である。初期画面１００には、図３に示すように、「コピー」、「スキャン（メール送信）」、「スキャン（ボックス保存）」、「ファックス」、「お気に入りの一覧」の各機能１０１〜１０５が表示される。「コピー」、「スキャン（メール送信）」、「スキャン（ボックス保存）」、「ファックス」は、画像形成装置３が有する機能であり、「お気に入りの一覧」は自装置２が有する機能である。
【００５７】
「コピー」は、原稿の画像をスキャナ部３３で読み取り、その画像をプリンタ部３４により用紙に印刷するものである。「お気に入りの一覧」は、「コピー」のパラメータをお気に入りとして記憶し、パラメータを一覧表示する機能である。
【００５８】
図５は、操作表示部２２に表示される「コピー」の設定画面の一例を示す図である。「コピー」の設定画面１１０には、コピーについて設定されたパラメータ１１１〜１１８が一覧で表示されるとともに、「これで決定」で表示された決定ボタン１１９が表示されている。各パラメータ１１１〜１１８には、設定項目及び設定値が表示されている。図５中、１１０ａは、前の画面（初期画面１００）に戻すための戻しボタンである。設定内容を変更する場合は、いずれかのパラメータ１１１〜１１８をタッチして選択すると、設定値変更画面が現れ、その設定値変更画面上で設定値を変更する。設定手段２０３は、変更後の設定内容で設定情報テーブル２１１を書き替えるとともに、変更内容を履歴情報テーブル２１２に記録する。再度設定画面１１０を表示した場合は、前回変更された設定内容が反映される。決定ボタン１１９は、操作されると、設定画面１１０に表示されている設定内容が確定される。設定画面１１０には、８個のパラメータ１１１〜１１８が表示されているが、スクロールすることにより他のパラメータが表示される。
【００５９】
なお、決定ボタン１１９が操作された場合に設定内容を音声を出力して読み上げてもよい。今回変更した設定値を音声で確認することができる。また、前回の変更内容が反映されずにデフォルト値に戻す設定になっている場合に、いつもカラーモードをデフォルトのカラーから白黒に変更していたのに今回は変更しなかった場合のようにいつも変更している設定値を変更しない場合に音声出力してもよい。
【００６０】
図６は、操作表示部２２に表示される待機画面の一例を示す図である。待機画面１２０には、「複合機に原稿をセットしてください」の第１の案内情報１２１と、「モバイル端末を複合機に近づけてタッチしてください」の第２の案内情報１２２が表示される。待機画面１２０に対して第１の案内情報１２１の部分をタッチ操作すると、第１の案内情報１２１が音声で出力され、第２の案内情報１２２の部分をタッチ操作すると、第２の案内情報１２２が音声で出力されるようになっている。図６中、１２０ａは、前の画面（設定画面１１０）に戻すための戻しボタンである。
【００６１】
（実施の形態の動作）
次に、画像形成システム１の動作の一例について、図７、図８、図９のフローチャートに従って説明する。
【００６２】
（１）モードの切り替え
図７は、端末装置２の初期画面の表示からモードの切り替えまでの動作の一例を示すフローチャートである。
【００６３】
ユーザが端末装置２の操作表示部２２を操作して初期画面の表示を要求すると、受付手段２００はその要求を受け付けし、表示制御手段２０１は初期画面１００（図４参照）を操作表示部２２に表示するよう制御する（Ｓ１）。
【００６４】
ユーザは、初期画面１００に対して機能１０１〜１０５のいずれかをタッチ操作して機能を選択すると、受付手段２００はその機能の選択を受け付ける（Ｓ２）。ここでは、ユーザが「コピー」の機能１０１を選択したとする。
【００６５】
モード切替手段２０２は、初期画面１００に対してダブルタップされたか否かを判断する（Ｓ３）。ダブルタップされた場合（Ｓ３：Ｙｅｓ）、モード切替手段２０２は、通常モードから特定モードに切り替える（Ｓ１０ａ）。ユーザが初期画面１００のいずれかの部分をダブルタップすることで、通常モードから特定モードに切り替えられる。ダブルタップされなかった場合（Ｓ３：Ｎｏ）、モード切替手段２０２は、通常モードのままとする（Ｓ１０ｂ）。
【００６６】
なお、機能を選択した後に、モードの切り替えを行えるようにしたが、機能を選択する前にモードの切り替えを行えるようにし、端末装置２を振ったとき、初期画面１００の表示内容を読み上げるようにしてもよい。
【００６７】
（２）特定モード
次に、特定モードについて説明する。図８は、端末装置２の特定モードにおける動作の一例を示すフローチャートである。
【００６８】
特定モードに移行してから予め定められた時間内に、ユーザが自装置２に対して振る等の特定の操作をすると、動き検出部２３が自装置２に対する特定の操作を検出し（Ｓ１１：Ｙｅｓ）、特定の操作を検出したことを音声制御手段２０６に通知する。
【００６９】
音声制御手段２０６は、ステップＳ２で選択された機能に対応する機能説明文を機能説明情報２１３から読み出し、音声情報として音声出力部２４に入力し、音声出力部２４から音声により出力させる（Ｓ１２）。
【００７０】
次に、表示制御手段２０１は、図７に示すステップＳ２において、選択された機能に対応する設定画面１１０（図４参照）を操作表示部３２に表示するよう制御する（Ｓ１３）。
【００７１】
ユーザが自装置２に対して振る等の特定の操作をすると、検出手段２０４は、自装置２に対する特定の操作きを検出し（Ｓ１４：Ｙｅｓ）、特定の操作を検出したことを音声制御手段２０６に通知する。
【００７２】
音声制御手段２０６は、図２に示すように、記憶部２１に対応する設定情報を設定情報テーブル２１１から読み出し、音声データとして音声出力部２４に入力し、音声出力部２４から音声を出力させて第１の読み上げ処理を行う（Ｓ１５）。この第１の読み上げ処理では、設定内容の全体が読み上げられる。
【００７３】
次に、設定手段２０３は、設定内容が変更されたか否かを判断する（Ｓ１６）。変更された場合は（Ｓ１６：Ｙｅｓ）、変更された設定情報で設定情報テーブル２１１を書き替え、変更内容を履歴情報テーブル２１２に記録する（Ｓ１７）。設定内容を変更する場合は、ユーザは、設定画面１１０に表示された複数の設定項目のうち変更したい設定項目をタッチ操作し、その設定値を変更する。
【００７４】
ユーザが設定画面１１０に表示されている「これで決定」の決定ボタン１１９をタッチ操作すると、受付手段２００がそれを受け付ける（Ｓ１８）。決定ボタン１１９の操作により、設定内容が確定する。送信手段２０７は、確定した設定情報を設定情報テーブル２１１から読み出し、第１の通信部２５のメモリに書き込む。決定ボタン１１９が操作され前は、設定内容が確定前の第１の段階の一例である。決定ボタン１１９が操作された後は、設定内容が確定した後の第２の段階の一例である。
【００７５】
表示制御手段２０１は、待機画面１２０（図６参照）を操作表示部２２に表示するよう制御する（Ｓ１９）。
【００７６】
ユーザが自装置２に対して振る等の特定の操作をすると、前述したように特定の操作を検出手段２０４が検出する（Ｓ２０：Ｙｅｓ）。検出手段２０４は、自装置２に対して特定の操作があったことを音声制御手段２０６に通知する。
【００７７】
音声制御手段２０６は、設定内容を音声出力部２４により読み上げる第２の読み上げ処理を行う（Ｓ２１）。
【００７８】
第２の読み上げ処理では、操作判断手段２０５は、受付手段２００が受け付けた設定項目の選択や設定値の変更、及び履歴情報テーブル２１２に基づいて、前回変更された設定値を含む否か、及び不慣れな操作がされた設定項目を含むか否かを判断する。
【００７９】
第２の読み上げ処理では、今回の設定内容が前回変更された設定値、又は不慣れな操作がされた設定項目を含むと操作判断手段２０５により判断された場合には、前回変更された部分のうち、今回変更された設定値及び設定項目、又は不慣れな設定項目及び設定値以外の部分は読み上げられない。例えば、前回、カラーモード、倍率、コピー濃度の３つの設定項目に対する設定値を変更した場合は、変更された３つの設定項目及び設定値を読み上げる。また、前回、倍率の１つの設定項目に対する設定値のみを変更した場合は、変更された１つの設定項目及び設定値のみを読み上げる。
【００８０】
なお、第１の読み上げ処理では、前回、設定値を変更した設定項目及び設定値だけを読み上げ、第２の読み上げ処理では、設定内容の全てを読み上げてもよい。また、第２の読み上げ処理では、例えば、第１の読み上げ処理において、読み上げられていない設定内容、すなわち、前回、変更されていない設定項目及び設定値を読み上げてもよい。
【００８１】
また、第２の読み上げ処理において、待機画面１２０に表示された第１の案内情報１２１及び第２の案内情報１２２を読み上げてもよい。また、第２の読み上げ処理において、ステップＳ１６において設定内容が変更された場合には、変更された設定項目及び設定値を読み上げてもよい。例えば、今回、倍率の１つの設定項目に対する設定値のみを変更した場合は、前回変更されたカラーモード、コピー濃度に関する項目は読み上げられず、直近に変更された倍率に関する設定項目及び設定値のみを読み上げる。
【００８２】
次に、設定手段２０３は、設定内容が変更されたか否かを判断する（Ｓ２２）。変更された場合は（Ｓ２２：Ｙｅｓ）、設定手段２０３は、変更後の設定内容で設定情報テーブル２１１を書き替え、変更内容を履歴情報テーブル２１２に記録する（Ｓ２３）。設定内容を変更するには、待機画面１２０の戻りボタン１２０ａをタッチ操作して図５に示す設定画面１１０を操作表示部２２に表示させて行う。送信手段２０７は、変更された設定内容で第１の通信部２５のメモリを書き替える。
【００８３】
ユーザは、第１の案内情報１２１に従い、自動原稿給紙装置３ｃの給紙トレイ３ｂに原稿を置き、第２の案内情報１２２に従い、端末装置２の第１の通信部２５を画像形成装置３の第１の通信部３６に近づける。
【００８４】
端末装置２の第１の通信部２５と画像形成装置３の第１の通信部３６との間で通信が確立すると、第１の通信部２５のメモリに格納していた設定情報が第１の通信部３６に読み取られる（Ｓ２４）。その後、原稿の画像がスキャナ部３３により読み取られ、プリンタ部３４により画像が用紙に印刷され、排出台３ｄに排出される。
【００８５】
（３）通常モード
次に、通常モードについて説明する。図９は、端末装置２の通常モードにおける動作の一例を示すフローチャートである。通常モードは、特定モードに対して、特定の操作があるかどうかの判断（Ｓ１１、Ｓ１４、Ｓ２０）、機能の概要の読み上げ処理（Ｓ１２）、第１の読み上げ処理（Ｓ１５）、及び第２の読み上げ処理（Ｓ２１）のステップを有していない以外は、特定モードと同じであるので、概要を説明する。
【００８６】
まず、特定モードと同様に、図７に示すステップＳ２にて選択された機能に対応する設定画面１１０（図５参照）が操作表示部３２に表示される（Ｓ１３）。
【００８７】
次に、設定内容が変更されたか否かが判断され（Ｓ１６）、変更された場合は（Ｓ１６：Ｙｅｓ）、設定手段２０３が変更後の設定内容で設定情報テーブル２１１を書き替え、変更内容を履歴情報テーブル２１２に記録する（Ｓ１７）。
【００８８】
ユーザが設定画面１１０に表示されている「これで決定」の決定ボタン１１９をタッチ操作すると、受付手段２００がそれを受け付ける（Ｓ１８）。送信手段２０７は、設定画面１１０に表示された設定内容が確定すると、対応する設定情報を設定情報テーブル２１１から読み出し、第１の通信部２５のメモリに書き込む。
【００８９】
次に、待機画面１２０（図６参照）が操作表示部２２に表示される（Ｓ１９）。
【００９０】
次に、設定内容が変更されたか否かが判断される（Ｓ２２）。変更された場合は（Ｓ２２：Ｙｅｓ）、設定手段２０３が変更後の設定内容で設定情報テーブル２１１を書き替え、変更内容を履歴情報テーブル２１２に記録する（Ｓ２３）。送信手段２０７は、変更された設定内容で第１の通信部２５のメモリを書き替える。
【００９１】
ユーザは、待機画面１２０に表示された第１の案内情報１２１に従い、自動原稿給紙装置３ｃの給紙トレイ３ｂに原稿を置き、待機画面１２０に表示された第２の案内情報１２２に従い、端末装置２の第１の通信部２５を画像形成装置３の第１の通信部３６にかざす。
【００９２】
端末装置２の第１の通信部２５と画像形成装置３の第１の通信部３６との間で通信が確立すると、第１の通信部２５のメモリに格納していた設定情報が第１の通信部３６に読み取られる（Ｓ２４）。
【００９３】
以上、本発明の実施の形態を説明したが、本発明の実施の形態は上記実施の形態に限定されるものではなく、本発明の要旨を変更しない範囲内で種々の変形、実施が可能である。
【００９４】
例えば、設定内容の全てを読み上げる場合に、前回変更された設定値や不慣れな設定項目については比較的遅いスピードで読み上げ、変更されていない設定値や慣れてきた設定項目については比較的早いスピードで読み上げて全体を予め定められた時間（例えば、２０秒）内に収めるようにしてもよい。
【００９５】
制御部２０の各手段は、それぞれ一部又は全部を再構成可能回路（ＦＰＧＡ：Field Programmable Gate Array）、特定用途向け集積回路（ＡＳＩＣ：Application Specific Integrated Circuit）等のハードウエア回路によって構成してもよい。
【００９６】
また、本発明の要旨を変更しない範囲内で、上記実施の形態の構成要素の一部を省くことや変更することが可能である。また、本発明の要旨を変更しない範囲内で、上記実施の形態のフローにおいて、ステップの追加、削除、変更、入替え等が可能である。また、上記実施の形態で用いたプログラムをＣＤ−ＲＯＭ等のコンピュータ読み取り可能な記録媒体に記録して提供することができる。また、上記実施の形態で用いたプログラムをクラウドサーバ等の外部サーバに格納しておき、ネットワークを介して利用することができる。
【符号の説明】
【００９７】
１…画像形成システム、２…端末装置、３…画像形成装置、３ａ…原稿台、３ｂ…給紙トレイ、３ｃ…自動原稿給紙装置、３ｄ…排出台、２０…制御部、２１…記憶部、２２…操作表示部、２３…動き検出部、２４…音声出力部、２５…第１の通信部、２６…第２の通信部、３０…制御部、３１…記憶部、３２…操作表示部、３３…スキャナ部、３４…プリンタ部、３５…ファクシミリ部、３６…第１の通信部、３７…第２の通信部、１００…初期画面、１０１-１０５…機能、１０…設定画面、１１１-１１８…パラメータ、１９…決定ボタン、１２０…待機画面、１２１…第１の案内情報、１２２…第２の案内情報、２００…受付手段、２０１…表示制御手段、２０２…モード切替手段、２０３…設定手段、２０４…検出手段、２０５…操作判断手段、２０６…音声制御手段、２０７…送信手段、２１０…プログラム、２１１…設定情報テーブル、２１２…履歴情報テーブル
【図１】
2019028664.tif 000003
【図２】
2019028664.tif 000004
【図３】
2019028664.tif 000005
【図４】
2019028664.tif 000006
【図５】
2019028664.tif 000007
【図６】
2019028664.tif 000008
【図７】
2019028664.tif 000009
【図８】
2019028664.tif 000010
【図９】
2019028664.tif 000011